(57)【要約】【課題】従来構造の商品取出口に設計変更，改造の手を加えることなく、簡易な部品を後付けするだけで販売された商品を商品取出口から取り出す際に、商品の位置が容易に視認できるようにする。【解決手段】本体外扉２の下部に配備して庫内の商品収納ラックより払出した商品を取り出す自動販売機の商品取出口５で、庫内の商品搬出シュータ１０を経て前方に落下放出された商品１１を受け止める箱形トレー６の上位前面にフラッパ形の商品取出扉７を組み合わせた構造になるものにおいて、前記トレーの底面上に着地した商品をトレー内部の後方に導く傾斜ガイド部材１２を敷設するものとし、さらに前記の傾斜ガイド部材をクッション材で形成して商品の落下衝撃による炭酸飲料（商品の中身飲料）のフォーミング（発泡）を抑制する。【選択図】        図１
2006164105.tif 000002
【特許請求の範囲】
【請求項１】
本体外扉の下部に配備して庫内の商品収納ラックより払出した商品を取り出す自動販売機の商品取出口であって、庫内の商品収納ラックから商品搬出シュータを経て前方に落下放出された商品を受け止める箱形トレーの上位前面にフラッパ形の商品取出扉を組み合わせた構造になるものにおいて、
前記トレーの底面上に、着地した商品を後方に導く傾斜ガイド部材を敷設したことを特徴とする自動販売機の商品取出口。
【請求項２】
請求項１記載の商品取出口において、傾斜ガイド部材をクッション材で形成したことを特徴とする自動販売機の商品取出口。
【発明の詳細な説明】
【技術分野】
【０００１】
本発明は、缶，びん，ペットボトル入り商品の自動販売機に装備した商品取出口の構造に関する。
【背景技術】
【０００２】
先ず、頭記した自動販売機の外観図を図２に示す。図２において、１は庫内に商品収納ラックを収設した自動販売機の本体キャビネット、２は外扉、３は商品見本を陳列したディスプレイ室、４は商品選択ボタン、５は外扉２の下部に配備した商品取出口である。かかる自動販売機の販売動作は周知の通りであり、販売指令により庫内の商品収納ラックから払出した商品は、商品搬出シュータを経て図示の商品取出口５に取り出される。
次に、前記自動販売機の外扉２に装備した前記商品取出口５の従来構造を図３に示す。すなわち、商品取出口５は箱形のトレー６と、その上位前面に設けたフラッパ形の商品取出扉７と、その背後に配した防盗フラッパ８との組立体からなり、商品取出口５の背後には中扉に開口したフラッパ９付きの商品搬出口が開口し、この商品搬出口に連係して本体キャビネット１の庫内下部には商品搬出シュータ１０が敷設されている。
【０００３】
かかる構成で、販売指令に基づき商品収納ラック（図示せず）から払出した商品１１は、商品搬出シュータ１０の傾斜面を転動して商品搬出口のフラッパ９を押し開き、そのまま商品取出口５の中に転がり落ちてトレー６に受け止められる。ここで、商品の購入客が商品取出口５に搬出された商品１１を取り出すには、図示のように商品取出扉７を手前に開き、トレー６の中に入っている商品を視認した上で手差し入れて掴み出す。
この場合に、図示のように商品取出口５に放出された商品１１がトレー６の前部コーナー寄りに止まっていると、自動販売機の前方に立った位置からではトレー６の前壁により視界が妨げられ、その視界の陰に位置している商品１１を直ちに視認できない。このために手さぐりで商品１１を確かめるか、あるいは購入客自身が姿勢を屈めて商品取出口の中を覗き込むようにして商品１１の視認する必要があるなど、商品取出し性に問題が残る。
【０００４】
一方、上記問題の対策として、例えば、商品取出口のトレーを前方に傾動可能な構造とし、商品を取り出す際にトレーを手前に傾けてトレーの内部全域が見え易くなるようにした構成のもの（例えば、特許文献１参照）、あるいはトレーの前壁を外扉の壁面から前方斜めに突き出した構造として商品取出口の内部を見え易くした構成（例えば、特許文献２）が知られている。
【特許文献１】特開平１０−２５５１２９号公報
【特許文献２】特開平１０−１２４７３９号公報
【発明の開示】
【発明が解決しようとする課題】
【０００５】
前記の特許文献１，特許文献２に開示されている構造の商品取出口を採用すれば、先記した商品取出性の問題解決が図れるものの、図３に示した従来構造の商品取出口を大幅に改造しなければならず、また既にロケーション先に展開している既存の自動販売機には即対応できない。
本発明は上記の点に鑑みなされたものであり、従来構造の商品取出口に設計変更，改造の手を加えることなく、簡易な部品を後付けするだけで販売された商品を商品取出口から取り出す際に、商品の位置が容易に視認できるように改良した自動販売機の商品取出口を提供することを目的とする。
【課題を解決するための手段】
【０００６】
上記目的を達成するために、本発明によれば、本体外扉の下部に配備して庫内の商品収納ラックより払出した商品を取り出す自動販売機の商品取出口であって、庫内の商品搬出シュータを経て前方に落下放出された商品を受け止める箱形トレーの上位前面にフラッパ形の商品取出扉を組み合わせた構造になるものにおいて、
前記トレーの底面上に、着地した商品をトレー内部の後方に導く傾斜ガイド部材を敷設するものとする（請求項１）。
また、その実施の態様として、前記の傾斜ガイド部材をクッション材で形成する（請求項２）。
【発明の効果】
【０００７】
上記構成によれば、庫内から商品搬出シュータを転動して商品取出口に放出された商品はトレーの中に着地した後、傾斜ガイド部材の斜面を転がってトレー内の後方に移動する。したがって、この状態ではトレーの前壁で視界を妨げられることなく、購入客は商品の位置を視認して容易に取り出すことができる。
また、この傾斜ガイド部材をクッション材で形成することにより、クッション材が緩衝の役目を果たして商品取出口に落下搬出された商品の衝撃を緩和し、商品の中身が炭酸飲料である場合でも、不要なフォーミング（発泡）を低く抑えることができる。
しかも、トレーの底面上に傾斜ガイド部材を後付けするだけで即対応できので、ロケーション先に展開している既設の自動販売機に対しても商品取出口５に改造の手を加えることなく、安価な経費で簡単に適用できる。
【発明を実施するための最良の形態】
【０００８】
以下、本発明の実施の形態を図１（ａ），（ｂ）に示す実施例に基づいて説明する。なお、図中で図３に対応する部材には同じ符号を付してその詳細な説明は省略する。
すなわち、商品取出口５は図３に示した従来の構造と基本的に同一であるが、そのトレー６の底壁の上には、後方に向けて低くなるように勾配を付けた断面三角状の傾斜ガイド部材１２が敷設されており、かつこの傾斜ガイド部材１２はゴム，フォーム，スポンジなどのクッション材で作られている。
これにより、図１（ａ）で示すように商品収納ラックからシュータ１０を経て商品取出口５の中に放出され、トレー６の前部コーナー側で傾斜ガイド部材１２の上に落下した商品１１（Ｉ→II）は、着地後に図１（ｂ）で示すように傾斜ガイド部材１２の上を転がって後方に導かれ、トレー内の後部コーナー側に停止する（II→III）。
【０００９】
この状態では、商品の購入客が商品１１を取り出すために商品取出扉７を開いて商品取出口５の中を覗いた際に、トレー６の前壁に妨げられることなく、商品１１の位置を視認することができ、これにより商品１１を容易に取り出せるようになる。
【図面の簡単な説明】
【００１０】
【図１】本発明の実施例による商品取出口の構造および機能を説明する側視断面図で、（ａ），（ｂ）はそれぞれ商品取出口における搬出工程の前半，および後半の商品挙動を表す図
【図２】自動販売機全体の外観図
【図３】従来における商品取出口の側視断面図
【符号の説明】
【００１１】
１    自動販売機の本体キャビネット
２    外扉
５    商品取出口
６    トレー
７    商品取出扉
１０    商品搬出シュータ
１１    商品
１２    傾斜ガイド部材
【図１】
2006164105.tif 000003
【図２】
2006164105.tif 000004
【図３】
2006164105.tif 000005